(57)【要約】      （修正有）【課題】２段階ステップズームレンズ鏡筒において、回転部材の光軸周りの回転運動のみで２つのレンズ群の間隔を変化させる。【解決手段】短焦点距離端から中間焦点距離に至る領域と該中間焦点距離から長焦点距離端に至る領域とで、光軸方向に直進案内される２つのレンズ群を各々支持する２つのレンズ群ブロックの間隔を２段階に変化させるために、前記２つのレンズ群ブロックの移動位置を、回転駆動されるカム環と、該カム環と相対回転自在であって光軸方向に共に移動する直進案内環を前記カム環の回転に連動させて前記中間焦点距離において往復移動させる切替駒移動機構と、前記切替駒の往復回動端で前記２つのレンズ群ブロック中の２つのレンズ群の間隔を２段階に変化させる間隔切替機構とを有する。【選択図】      図１１
2004191672.tif 000002
【特許請求の範囲】
【請求項１】
ズームレンズ系を構成するレンズ群中の２つのレンズ群が、短焦点距離端から中間焦点距離に至る領域と該中間焦点距離から長焦点距離端に至る領域とで間隔を二段階に変化させるズームレンズ鏡筒において、
上記間隔を変化させる２つのレンズ群を支持した、光軸方向に直進案内された２レンズ群ブロックと；
この２レンズ群ブロックの移動位置を制御する、回転駆動されるカム環と；
このカム環と相対回転は自在で光軸方向には一緒に移動する直進案内環の周面に、一定角度の往復回動を可能に支持された切替駒と；
この切替駒を上記カム環の回転に連動させて上記中間焦点距離において往復移動させる切替駒移動機構と；
この切替駒の往復回動に連動してその往復回動端で上記２レンズ群ブロック中の２つのレンズ群の間隔を上記二段階に変化させる間隔切替機構と；
を有することを特徴とするレンズ間隔可変機構を有するズームレンズ鏡筒。
【請求項２】
請求項１記載のレンズ間隔可変機構を有するズームレンズ鏡筒において、上記切替駒移動機構は、上記カム環と一緒に回転する切替環と、この切替環の内周面に形成した切替溝と、上記切替駒に突出させたこの切替溝に嵌まる連動ピンとを備えているレンズ間隔可変機構を有するズームレンズ鏡筒。
【請求項３】
請求項１または２記載のレンズ間隔可変機構を有するズームレンズ鏡筒において、上記間隔切替機構は、上記切替駒と一緒に回動する差動環と、この差動環の回転を受けて、光軸方向の位置を変化させることなく回動する、上記間隔可変の２つのレンズ群の一方のレンズ群を支持した回転レンズ枠と、この回転レンズ枠の回転により光軸方向に進退する、上記２つのレンズ群の他方を支持した直進レンズ枠とを備えているレンズ間隔可変機構を有するズームレンズ鏡筒。
【発明の詳細な説明】
【０００１】
【技術分野】
本発明は、レンズ間隔可変機構を有するズームレンズ鏡筒に関する。
【０００２】
【従来技術及びその問題点】
本出願人は、中間の焦点距離で構成レンズ群のうちの２つのレンズ群の間隔を切り替えるズームレンズ系を提案した。具体的には、焦点距離を変化させる可動の複数の変倍レンズ群を有すること；少なくとも一つの変倍レンズ群は、２つのサブ群を有し、その一方のサブ群が、他方のサブ群との関係において光軸方向の両移動端のいずれか一方に選択して位置する可動サブ群である切替群であること；短焦点距離端から中間焦点距離に至る短焦点距離側ズーミング域と、中間焦点距離から長焦点距離端に至る長焦点距離側ズーミング域とで、切替群中の可動サブ群は互いに異なるいずれか一方の移動端に位置すること；及び切替群と他の変倍レンズ群のズーミング基礎軌跡は、中間焦点距離において不連続であり、可動サブ群の位置に応じ、所定の像面に結像するように定められていること；を特徴とするズームレンズ系である（特開２０００−２７５５１８号）。
【０００３】
このズームレンズ系を実現するには、中間焦点距離で２つのサブ群（レンズ群）の間隔を変化させなければならない。
【０００４】
【特許文献】
特開２０００−２７５５１８号公報
【０００５】
【発明の目的】
本発明は、例えば以上のようなズームレンズ系に使用できる、レンズ間隔可変機構を備えたズームレンズ鏡筒を得ることを目的とする。本発明は特に、カム環等の光軸を中心とする回転部材の回転運動でレンズ間隔を可変できるズームレンズ鏡筒を得ることを目的とする。
【０００６】
【発明の概要】
本発明は、ズームレンズ系を構成するレンズ群中の２つのレンズ群が、短焦点距離端から中間焦点距離に至る領域と該中間焦点距離から長焦点距離端に至る領域とで、間隔を二段階に変化させるズームレンズ鏡筒において、間隔を変化させる２つのレンズ群を支持した、光軸方向に直進案内された２レンズ群ブロックと；この２レンズ群ブロックの移動位置を制御する、回転駆動されるカム環と；このカム環と相対回転は自在で光軸方向には一緒に移動する直進案内環の周面に、一定角度の往復回動を可能に支持された切替駒と；この切替駒をカム環の回転に連動させて中間焦点距離において往復移動させる切替駒移動機構と；この切替駒の往復回動に連動してその往復回動端で上記２レンズ群ブロック中の２つのレンズ群の間隔を二段階に変化させる間隔切替機構と；を有することを特徴としている。
【０００７】
このズームレンズ鏡筒によれば、カム環の回転運動だけで、中間焦点距離において間隔可変レンズ群の間隔を変化させることができる。
【０００８】
切替駒移動機構は、例えば、カム環と一緒に回転する切替環と、この切替環の内周面に形成した切替溝と、切替駒に突出させたこの切替溝に嵌まる連動ピンとによって構成できる。
【０００９】
また、間隔切替機構は、例えば、切替駒と一緒に回動する差動環と、この差動環の回転を受けて、光軸方向の位置を変化させることなく回動する、間隔可変の２つのレンズ群の一方のレンズ群を支持した回転レンズ枠と、この回転レンズ枠の回転により光軸方向に進退する、２つのレンズ群の他方を支持した直進レンズ枠とによって構成できる。
【００１０】
【発明の実施の形態】
最初に、図１について、本実施形態のズームレンズ鏡筒を適用するズームレンズ光学系を説明する。このズームレンズ系は、物体側から順に、正のパワーの第１レンズ群Ｌ１、負のパワーの第２レンズ群Ｌ２、正のパワーの第３レンズ群Ｌ３、及び負のパワーの第４レンズ群Ｌ４からなっている。第２レンズ群Ｌ２と第３レンズ群Ｌ３は、中間焦点距離域（モード切替区間）において互いの間隔を変化させる（ワイド域（ワイドモード）での長間隔をテレ域（テレモード）での短間隔に変化させる）間隔変化群（Ｌ２３とする）であり、ワイド域、テレ域ではそれぞれ一体に移動する。第１レンズ群Ｌ１と第４レンズ群Ｌ４は、常時一体に移動する。第１レンズ群Ｌ１、間隔変化群Ｌ２３及び第４レンズ群Ｌ４は、短焦点距離端（ワイド端、Ｗ）から長焦点距離端（テレ端、Ｔ）に至る全ズーム域において像側から被写体側に単調に移動する。この実施形態のズームレンズ鏡筒は、焦点距離を複数段（６段）に設定したステップズームレンズ鏡筒であり、間隔変化群Ｌ２３は、このステップズームレンズ鏡筒におけるフォーカス群として作用する。すなわち、図１の実線は、フォーカス動作を含むカム軌跡であり、間隔変化群（フォーカスレンズ群）Ｌ２３の無限遠物体撮影時のズーミング基礎軌跡は一点鎖線で示した。
【００１１】
以上のような中間焦点距離における間隔変化群を有するズームレンズ系は、本出願人が特開２０００−２７５５１８号で提案した。このズームレンズ系は、焦点距離を変化させる可動の複数の変倍レンズ群を有すること；少なくとも一つの変倍レンズ群は、２つのサブ群を有し、その一方のサブ群が、他方のサブ群との関係において光軸方向の両移動端のいずれか一方に選択して位置する可動サブ群である切替群であること；短焦点距離端から中間焦点距離に至る短焦点距離側ズーミング域と、中間焦点距離から長焦点距離端に至る長焦点距離側ズーミング域とで、切替群中の可動サブ群は互いに異なるいずれか一方の移動端に位置すること；及び切替群と他の変倍レンズ群のズーミング基礎軌跡は、上記中間焦点距離において不連続であり、可動サブ群の位置に応じ、所定の像面に結像するように定められていること；を特徴としている。図１に示したステップズームレンズ鏡筒のズーミング軌跡では、中間焦点距離におけるズーミング基礎軌跡の不連続性をなくしている。また、図１では、第１レンズ群Ｌ１ないし第４レンズ群Ｌ４を単レンズとして図示したが、これらは勿論複数のレンズから構成するのが普通である。
【００１２】
図１ないし図１９は、本実施形態のズームレンズ鏡筒の全体構造を示している。カメラボディに固定される固定筒１１には、図２ないし図５に示すように、その内周面に雌ヘリコイド１１ａと、光軸と平行な方向の直進案内溝１１ｂとが形成されている。この固定筒１１の雌ヘリコイド１１ａには、ヘリコイド環１２の後端部に形成した雄ヘリコイド１２ａが螺合する。ヘリコイド環１２の内周面には、第２直進案内環１３が相対回転自在に、光軸方向にはヘリコイド環１２と一緒に移動する態様で嵌まっている。すなわち、ヘリコイド環１２の内周面には周方向溝１２ｃが形成されており、この周方向溝１２ｃに、第２直進案内環１３の外周面に形成した案内突起１３ａが相対回転自在に嵌まっている。周方向溝１２ｃと案内突起１３ａは、ヘリコイド環１２と第２直進案内環１３の使用状態では係合を保持する。第２直進案内環１３の後端部には、固定筒１１の直進案内溝１１ｂに嵌まる径方向突起１３ｂが形成されている。
【００１３】
雄ヘリコイド１２ａの山部には平歯車１２ｂが形成されていて、この平歯車１２ｂが、固定筒１１の内面凹部１１ｃ（図２）に位置させて回動自在に支持した駆動ピニオン１４と常時噛み合う。したがって、駆動ピニオン１４が正逆に回転駆動されると、ヘリコイド環１２が回転しながら光軸方向に進退し、ヘリコイド環１２と一緒に第２直進案内環１３が直進移動する。
【００１４】
第２直進案内環１３の内周には、カム環１５が嵌まっている。図６はこのカム環１５の展開形状を示している。このカム環１５の後端部外周には、雄ヘリコイド１５ａと、この雄ヘリコイド１５ａの一部から径方向に突出させたガイドピン１５ｂが形成されている。雄ヘリコイド１５ａは、第２直進案内環１３の内周面に形成した雌ヘリコイド１３ｃに螺合し、ガイドピン１５ｂは第２直進案内環１３に貫通させて形成した、周方向成分と光軸方向成分を有する逃がし溝１３ｄに嵌まっている。このガイドピン１５ｂはさらに、逃がし溝１３ｄを貫通してヘリコイド環１２の内周面に形成された光軸と平行な方向の直進ガイド溝１２ｄ（図２）に嵌まっている。従って、カム環１５は、ヘリコイド環１２が回転すると、雌ヘリコイド１３ｃと雄ヘリコイド１５ａの螺合関係に従って回転しながら光軸方向に直進移動する。カム環１５の内周面には、雌ヘリコイド１５ｃと有底カム溝１５ｄ（図６、図１９）が形成されている。
【００１５】
カム環１５の内側には、切替環１６、第１レンズ群Ｌ１を支持する１群支持環１７及び第１直進案内環１８が順番に嵌まっている（図９参照）。図７は切替環１６単体の展開形状を示している。切替環１６と１群支持環１７は相対回転は自在で光軸方向には一緒に移動する一対の環状体である。１群支持環１７の後端部外周には、雄ヘリコイド１７ａが形成されており、この雄ヘリコイド１７ａの直前に、切替環１６の後端部内周に形成した周方向溝１６ａ（図７）に相対回転自在に嵌まるガイド突起１７ｂが形成されている。
【００１６】
そして、１群支持環１７の雄ヘリコイド１７ａはカム環１５の雌ヘリコイド１５ｃに螺合し、切替環１６の後端部外周に突出形成した回転伝達突起１６ｂは、カム環１５の内周面に形成した光軸と平行な回転伝達溝１５ｅに嵌まっている。
【００１７】
一方、第１直進案内環１８の後端部外周に形成したガイド突起１８ａは、第２直進案内環１３の内周面に形成した光軸と平行な直進案内溝１３ｅに嵌まっており、また、この第１直進案内環１８の外周面に形成した光軸と平行な直進案内溝１８ｂ（図９参照）に、１群支持環１７の内周面に形成した直進ガイド突起１７ｃ（同）が摺動自在に嵌まっている。つまり、第２直進案内環１３、第１直進案内環１８、１群支持環１７は回転せずに、光軸方向に移動する部材である。また、第１直進案内環１８の後端部に形成したフランジ１８ｆ（図９）は、カム環１５の後端部内周に形成した周方向溝１５ｆ（図６）に相対回転自在で光軸方向には一緒に移動するように係合している。
【００１８】
従って、カム環１５の回転が回転伝達溝１５ｅと回転伝達突起１６ｂを介して切替環１６に伝達されると、雌ヘリコイド１５ｃに噛み合う雄ヘリコイド１７ａを有し第１直進案内環１８によって回転を規制されている１群支持枠１７が光軸方向に移動する。
【００１９】
１群支持環１７には、４群支持環１９が光軸方向の直進移動を自在にして支持されている。すなわち、第４レンズ群Ｌ４を支持する４群支持環１９の周囲には、３本の光軸平行腕１９ａが形成されており、この光軸平行腕１９ａが１群支持環１７の光軸と平行な直進案内溝１７ｄに嵌まっている。
【００２０】
また、第２レンズ群Ｌ２と第３レンズ群Ｌ３を支持する２−３群ブロック２０の周囲には、３本の光軸と平行な方向の直進案内腕２０ａが形成されており、この直進案内腕２０ａは、第１直進案内環１８に形成した光軸と平行な方向の直進案内溝１８ｃに嵌まっている。さらに、この直進案内腕２０ａの先端に固定したカムフォロア２０ｂは、カム環１５の有底カム溝１５ｄに嵌まっている。図１０と図１１は、この２−３群ブロック２０の組立状態と分解状態を示している。このカム溝１５ｄは、図６、図１９に示すように、２−３群ブロック２０を撮影可能位置に位置させる撮影領域（図１９のワイドモード、モード切替区間、テレモード）１５ｄ１と、撮影を行わない収納位置に位置させる収納領域（収納位置）１５ｄ２と、撮影領域１５ｄ１から収納位置１５ｄ２に移行させるモード切替領域１５ｄ３を有している。このカム溝１５の撮影領域１５ｄ１の全部とモード切替領域１５ｄ３の収納領域１５ｄ２側の端部を除く領域は、カムフォロア２０ｂが最小のクリアランスで嵌まる幅狭領域であり、収納領域１５ｄ２及びモード切替領域１５ｄ３の収納位置側の端部領域は、後方が開放された開放カム領域である。従って、カム環１５が回転すると、２−３群ブロック２０が有底カム溝１５ｄに従って光軸方向に直進移動する。なお、カム環１５の周方向溝１５ｆに相対回転自在に嵌まる第１直進案内環１８のフランジ１８ｆには、２−３群ブロック２０が収納位置に位置するときに収納領域１５ｄ２の後方に位置してカムフォロア２０ｂを逃げる切欠１８ｆ’（図３、図９、図１８）が形成されている。
【００２１】
そして、この２−３群ブロック２０と４群支持環１９の間には、該４群支持環１９を後方に移動付勢圧縮ばね３１が挿入されている。４群支持環１９の光軸平行腕１９ａには、この圧縮ばね３１の力に抗して４群支持環１９の後退端を規制する、１群支持環１７の抜け止め突起１７ｅ（図８、図９）に係合する係合突起１９ｂ（図８）が形成されており、４群支持環１９は、常時は（撮影状態では）１群支持環１７に対する後退端に位置する。
【００２２】
２−３群ブロック２０の具体的構成を説明する前に、以上の構成による動作を纏めて説明すると、次のようになる。駆動ピニオン１４を介してヘリコイド環１２を回転駆動すると、ヘリコイド環１２は回転しながら光軸方向に移動し、回転を規制されている第２直進案内環１３がヘリコイド環１２と一緒に光軸方向に進退する。ヘリコイド環１２の回転は、カム環１５に伝達され、カム環１５は直進案内されている第１直進案内環１８を伴い、回転しながら光軸方向に進退する。そして、カム環１５が回転すると、切替環１６が直進案内されている１群支持環１７を伴いながら、光軸方向に進退する。１群支持環１７が収納位置から前方に移動するときには、圧縮ばね３１が徐々に伸張して４群支持環１９を１群支持環１７に対する後退端に位置させる。この後退端が撮影位置（ワイド端）であり、それ以後は１群支持環１７と４群支持環１９は一緒に移動する。１群支持環１７は第１レンズ群Ｌ１を搭載し、４群支持環１９は第４レンズ群Ｌ４を搭載しているから、図１のように、第１レンズ群Ｌ１と第４レンズ群Ｌ４はズーム域ではヘリコイド環１２の回転角に対しリニアに（間隔を変化させることなく）一緒に移動する。
【００２３】
また、収納位置では、図３に明らかなように、２−３群ブロック２０の前端面が第１レンズ群Ｌ１を固定した１群枠２９の後端面に極めて接近しまたは当接する。１群枠２９は、１群支持環１７の先端部に固定された部材である。このとき、カム溝１５ｄの収納領域１５ｄ２は後方が開放されているため、１群枠２９を介して、圧縮ばね３１の力に抗し２−３群ブロック２０が後方に押圧されると、カムフォロア２０ｂがカム溝１５ｄの前側カム面から離れて後退することができ、レンズ鏡筒の収納長が短縮される。収納位置では同時に、第４レンズ群Ｌ４を固定した４群枠３０が、圧縮ばね３１の力により遮光枠３５に当接する位置まで後退する。４群枠３０は４群支持環１９に固定された部材であり、遮光枠３５は、ヘリコイド環１２の後端面に固定された部材である。
【００２４】
一方、第１直進案内環１８によって直進案内されている２−３群ブロック２０の移動位置は、カム環１５の内周面に形成されている有底カム溝１５ｄによって規制される（定まる）。２−３群ブロック２０は、第２レンズ群Ｌ２と第３レンズ群Ｌ３を支持しており、カム環１５と切替環１６は、その連続回転により、第２レンズ群Ｌ２と第３レンズ群Ｌ３に図１に示す移動軌跡を与える。以下、特に図９ないし図１８について、この２−３群ブロック２０、カム環１５及び切替環１６の関連構造を説明する。
【００２５】
直進案内腕２０ａとカムフォロア２０ｂは、２−３群移動環２１に設けられている。この２−３群移動環２１と、先端部押え板２２との間に、前方から順に、第２レンズ群Ｌ２を支持した２群枠２３、第３レンズ群Ｌ３を支持した３群枠２４、差動連係環２５、差動環２６及び差動ばね２７が収納されている。先端部押え板２２は、光軸と平行な直進ガイドピン２２ａを有し、２群枠２３は、この直進ガイドピン２２ａに摺動自在に嵌まるガイドボス２３ａを有している。直進ガイドピン２２ａには２群枠２３を後方に押圧する圧縮ばね２２ｂが挿入されている。
【００２６】
３群枠２４、差動連係環２５、差動環２６は、光軸を中心とする回転部材である。２群枠２３と３群枠２４は、互いに嵌合関係となる筒状部を有し、２群枠２３の筒状部の外周面には傾斜カム面２３ｂが形成され、３群枠２４の筒状部の内周面には、この傾斜カム面２３ｂに係合するフォロア突起２４ａが形成されている。傾斜カム面２３ｂは、周方向及び軸方向の双方に対して傾斜した直線カム面である。また３群枠２４の外周面には、回転伝達突起２４ｂが形成されている。差動連係環２５の内周面には、回転伝達溝２５ａが形成されており、この回転伝達溝２５ａには３群枠２４の回転伝達突起２４ｂが嵌まっていて、差動連係環２５と３群枠２４が常に一緒に回動する。３群枠２４は圧縮ばね２２ｂの付勢力によって後方に押されており、２−３群移動環２１に当て付くことにより、その光軸方向位置が定められている。また、差動連係環２５の外周面には、強制回転伝達突起２５ｂが形成されており、この強制回転伝達突起２５ｂは差動環２６の内周面に形成した強制回転伝達溝２６ａに嵌まっている。強制回転伝達突起２５ｂと強制回転伝達溝２６ａの間には周方向の遊びが存在する（図１６、図１７参照）。
【００２７】
差動ばね２７は、トーションばねからなるもので、光軸中心のコイル部２７ａは、差動連係環２５の内面に収納されて摩擦係合し、該コイル部２７ａから突出させた一対の脚部２７ｂは、差動連係環２５に穿設したばね穴２５ｃから径方向外方に突出している。２５ｄ（図１１）は、差動ばね２７が差動連係環２５から脱落するのを防ぐ突起である。差動ばね２７の一対の脚部２７ｂは、回転伝達突起２６ｂの周方向の両側面に当接するようにトーションが掛けられており、差動環２６が回転すると、通常は差動ばね２７を介して差動連係環２５が連れ回りする。一方、差動連係環２５が回動端に達する（差動連係環２５に一定以上の回動抵抗が存在する）と、一対の脚部２７ｂが開くように差動ばね２７が弾性変形し、差動連係環２５に対して差動環２６が相対回転する。
【００２８】
差動環２６の回転伝達突起２６ｂには、径方向の連動ピン２６ｃが固定されており、この連動ピン２６ｃが切替駒２８の内面に形成した光軸と平行な方向の回転伝達溝２８ａに嵌まっている。切替駒２８は、図９に示すように、第１直進案内環１８に形成した受け溝１８ｄに一定角度だけ周方向に移動できるように支持されている。そして、その外面に形成したフォロア突起２８ｂが、切替環１６の内面に形成した有底切替溝１６ｃに嵌まっている。
【００２９】
有底切替溝１６ｃは、図７、図１８に示すように、テレ区間１６ｃＴ、切替区間１６ｃＫ、及びワイド区間１６ｃＷを有する。テレ区間１６ｃＴとワイド区間１６ｃＷは、カム環１５の雌ヘリコイド１５ｃと同一リードで逆傾斜をなし、切替区間１６ｃＫは、光軸と平行をなしている。このため、カム環１５と切替環１６が一緒に回転するとき、切替駒２８のフォロア突起２８ｂがテレ区間１６ｃＴとワイド区間１６ｃＷに位置している間は、第１直進案内環１８と切替駒２８には相対回転が生じない。これに対し、フォロア突起２８ｂが切替区間１６ｃＫに係合しているときには、第１直進案内環１８に対する切替駒２８の相対回転が生じる。この相対回転により、図１のワイド域では第２レンズ群Ｌ２と第３レンズ群Ｌ３を離間位置に保持し、モード切替区間で、第２レンズ群Ｌ２と第３レンズ群Ｌ３を接近位置に移動させ、テレ域では、第２レンズ群Ｌ２と第３レンズ群Ｌ３を接近位置に保持する。
【００３０】
３群枠２４と２−３群移動環２１には、図１４、図１５に示すように、３群枠２４の回動角をワイド位置とテレ位置の切替に必要充分な角度に規制する回動範囲規制溝２４ｃとストッパ突起２１ａが形成されている。これに対し、切替駒２８及び差動環２６の回動角は、この３群枠２４の回動角より大きい角度回転するように設定されており、その差を差動ばね２７が吸収する。
【００３１】
すなわち、いま、図１４に示すように、第２レンズ群Ｌ２と第３レンズ群Ｌ３が隔離している状態において、有底切替溝１６ｃとフォロア突起２８ｂを介して、切替駒２８に図１６の反時計方向の回転が与えられると、差動環２６が回転し、その回転が回転伝達突起２６ｂと差動ばね２７の一対の脚部２７ｂの係合関係で差動連係環２５に伝達され、３群枠２４が同方向に回転する。３群枠２４の回動範囲規制溝２４ｃがストッパ突起２１ａに当接すると、常時３群枠２４と一緒に回動する差動連係環２５の回動も規制される。差動連係環２５の回動が規制された後も差動環２６は同方向に回転し、そのオーバチャージ分を差動ばね２７が弾性変形して吸収する。そして、３群枠２４が回転すると、圧縮ばね２２ｂによって後方に移動付勢されている２群枠２３は、フォロア突起２４ａと傾斜カム面２３ｂの関係に従って後方に移動し、第２レンズ群Ｌ２と第３レンズ群Ｌ３を接近させる（図１５、図１７）。なお、差動環２６の強制回転伝達溝２６ａと差動連係環２５の強制回転伝達突起２５ｂは、差動連係環２５に何らかの原因で大きい回動抵抗が存在する結果差動環２６の回転初期に差動ばね２７の一対の脚部２７ｂが開いてしまったときに、互いに当接して、差動環２６の回転を強制的に差動連係環２５に伝達する作用を有する。
【００３２】
図１５と図１７の状態から切替駒２８が逆方向（時計方向）に回転すれば、以上とは逆に、第２レンズ群Ｌ２と第３レンズ群Ｌ３が隔離する。差動環２５、差動連係環２６及び差動ばね２７のオーバチャージ吸収作用は上述の正方向（反時計方向）への回転時と同様である。傾斜カム面２３ｂの両端部には、フォロア突起２４ａをテレ位置とワイド位置に安定して保持するための凹部２３ｂ１と２３ｂ２とが形成されている。さらに、両端部にこの凹部２３ｂ１と２３ｂ２を有する傾斜カム面２３ｂ（及び対応するフォロア突起２４ａ）は、２群枠２３（３群枠２４）の周方向に等角度間隔で４個設けられており、２群枠２３と３群枠２４の嵌合関係と相俟ち、ワイド位置とテレ位置でのレンズ群Ｌ２とＬ３のレンズ間隔精度及び同心性を確保する。
【００３３】
なお、以上のズームレンズ鏡筒において、２−３群ブロック２０の２−３群移動枠２１の後方にはシャッタブロック３２が固定されており、このシャッタブロック３２からは、カメラ本体の制御回路に接続されるＦＰＣ基板３３が出ている。また、１群枠１７の先端面の内面と、２−３群ブロック２０の前端面との間には、遮光蛇腹３４が位置している。
【００３４】
次に、図１９に基づいて、本ステップズームレンズ鏡筒のフォーカス動作を説明する。本実施形態では、カム環１５のカム溝１５ｄによって（カム環１５の回転によって）フォーカシングも行う。このため、ワイドモードで４段（ステップ１、２、３、４）、テレ側で２段（ステップ５、６）の合計６段の焦点距離ステップを有し、各焦点距離ステップにおいてそれぞれ、無限遠撮影位置（∞位置）と最短撮影位置（Ｎ位置）の間で２−３群ブロック２０（第２レンズ群Ｌ２と第３レンズ群Ｌ３）を光軸方向に移動させるべく、カム溝１５ｄ形状が設定されている。より具体的には、カム溝１５ｄは、回転方向の順に、ステップ１の∞位置、Ｎ位置、ステップ２のＮ位置、∞位置、ステップ３の∞位置、Ｎ位置、ステップ４のＮ位置、∞位置を順番に有し、モード切替区間を挟んで、ステップ５の∞位置、Ｎ位置、ステップ６のＮ位置、∞位置を順番に有している。カム環１５の回転角（位置）は、設定焦点距離及び被写体距離情報に応じて制御される。
【００３５】
このように、隣り合うステップのＮ位置同士、∞位置同士を隣接させることにより、カム溝１５ｄの形状を単純化し、全長を短くすることができる。
【００３６】
以上の実施形態において、第１レンズ群Ｌ１、第２レンズ群Ｌ２、第３レンズ群Ｌ３及び第４レンズ群Ｌ４はズームレンズ系を構成し、そのうちの第２レンズ群Ｌ２と第３レンズ群Ｌ３は、短焦点距離端から中間焦点距離に至る領域と該中間焦点距離から長焦点距離端に至る領域とで、間隔を二段階に変化させる（図１）。そして、２−３群ブロック（２レンズ群ブロック）２０は、この間隔可変の第２レンズ群Ｌ２と第３レンズ群Ｌ３を支持した２レンズ群ブロックである。この２レンズ群ブロック（２−３群ブロック２０）は、その直進案内腕２０ａが、第１直進案内環（直進案内環）１８の直進案内溝１８ｃに嵌まっていて、光軸方向の直進移動のみ可能とされている。またそのカムフォロア２０ｂはカム環１５の有底カム溝１５ｄに嵌まっており、カム環１５の回転により光軸方向に進退する。
【００３７】
カム環１５と相対回転は自在で光軸方向には一緒に移動する第１直進案内環１８には、切替駒２８が一定角度の周方向の往復移動を可能に支持されており、この切替駒２８はカム環１５の回転に連動して中間焦点距離において往復移動される。具体的には、カム環１５と一緒に回転する切替環１６の有底切替溝１６ｃと、切替駒２８のフォロア突起２８ｂとによって、切替駒２８が周方向に往復運動する。そして、切替駒２８が往復運動すると、２-３群ブロック２０内の２つのレンズ群Ｌ２とＬ３の間隔が広狭に変化する。
【００３８】
すなわち、切替駒２８が周方向に往復運動すると、差動環２６が同方向に移動し、その回転が差動ばね２７を介して差動連係環２５に伝達され、３群枠２４が同方向に回転する。３群枠２４が回転すると、圧縮ばね２２ｂによって後方に移動付勢されている２群枠２３は、フォロア突起２４ａと傾斜カム２３ｂの関係に従って光軸方向に移動し、第２レンズ群Ｌ２と第３レンズ群Ｌ３が広狭に変化する。
【００３９】
間隔変化機構は、切替駒２８の往復回動に連動してその往復回動端で２-３群ブロック２０中の第２レンズ群Ｌ２と第３レンズ群Ｌ３の間隔を広狭二段階に変化させることができるものであればよいが、以上の差動環２６の回転を受けて、光軸方向の位置を変化させることなく回動する、第３レンズ群を支持した３群枠（回転レンズ枠）２４と、この回転レンズ枠の回転により光軸方向に進退する、第２レンズ群Ｌ２を支持した２群枠（直進レンズ枠）２３によれば、比較的簡単な構成で間隔変化機構を構成できる。
【００４０】
また、切替駒移動機構は、カム環１５の回転に連動させて中間焦点距離において切替駒２８を往復移動させることができるものであればよいが、カム環１５と一緒に回転する切替環１６と、この切替環１６の内周面に形成した切替溝１６ｃと、切替駒２８に突出させたこの切替溝に嵌まる連動ピン２８ｂとによれば、カム環１５の回転運動で確実に切替駒を往復移動させることができる。
【００４１】
以上の実施形態は、図１のズームレンズ系に適用したものであるが、本発明は、中間焦点距離で間隔を広狭二段階に変化させる２つのレンズ群を有するズームレンズ系一般に用いることができる。
【００４２】
【発明の効果】
本発明によれば、ズームレンズ系を構成するレンズ群中の２つのレンズ群が、短焦点距離端から中間焦点距離に至る領域と該中間焦点距離から長焦点距離端に至る領域とで、間隔を二段階に変化させるズームレンズ鏡筒において、カム環を含む光軸を中心とする回転部材の回転運動だけで、２つのレンズ群の間隔を変化させることができるズームレンズ鏡筒が得られる。
【図面の簡単な説明】
【図１】本発明によるズームレンズ鏡筒を適用する、切替群を有するステップズームレンズ系のズーミング基礎軌跡を示す図である。
【図２】本発明によるズームレンズ鏡筒の一実施形態を示す分解斜視図である。
【図３】同ズームレンズ鏡筒の収納状態における上半断面図である。
【図４】同ズームレンズ鏡筒のワイド端無限遠撮影状態における上半断面図である。
【図５】同ズームレンズ鏡筒のテレ端無限遠撮影状態における上半断面図である。
【図６】同ズームレンズ鏡筒のカム環の内周面の展開図である。
【図７】同ズームレンズ鏡筒の切替環の内周面の展開図である。
【図８】同ズームレンズ鏡筒の１群支持環と４群枠との係止構造を示す上半断面図である。
【図９】同ズームレンズ鏡筒の切替環、１群支持環及び第１直進案内環の分解斜視図である。
【図１０】同ズームレンズ鏡筒の２−３群ブロックの斜視図である。
【図１１】同２−３群ブロックの分解斜視図である。
【図１２】同２−３群ブロックを含む切替機構部分の上半断面図である。
【図１３】同２−３群ブロック中の差動連係環、差動環及び差動ばねによるオーバチャージ機構を示す斜視図である。
【図１４】同２−３群ブロックのワイドモード時の状態を示す展開図である。
【図１５】同２−３群ブロックのテレモード時の状態を示す展開図である。
【図１６】同２−３群ブロックのワイドモード時の状態を示す正面図である。
【図１７】同２−３群ブロックのテレモード時の状態を示す正面図である。
【図１８】同２−３群ブロックのワイドモードとテレモードの切替状態を示す展開図である。
【図１９】カム環のカム形状の展開図である。
【符号の説明】
Ｌ１  第１レンズ群
Ｌ２  第２レンズ群
Ｌ３  第３レンズ群
Ｌ４  第４レンズ群
Ｌ２３  間隔変化群
１１  固定筒
１１ａ  雌ヘリコイド
１１ｂ  直進案内溝
１１ｃ  内面凹部
１２  ヘリコイド環
１２ａ  雄ヘリコイド
１２ｂ  平歯車
１２ｃ  周方向溝
１２ｄ  直進ガイド溝
１３  第２直進案内環
１３ａ  案内突起
１３ｂ  径方向突起
１３ｃ  雌ヘリコイド
１３ｄ  逃がし溝
１４  駆動ピニオン
１５  カム環
１５ａ  雄ヘリコイド
１５ｂ  ガイドピン
１５ｃ  雌ヘリコイド
１５ｄ  有底カム溝
１５ｅ  回転伝達溝
１６  切替環（切替駒移動機構）
１６ａ  周方向溝
１６ｂ  回転伝達突起
１６ｃ  有底切替溝（切替駒移動機構）
１６ｃＴ  テレ区間
１６ｃＫ  切替区間
１６ｃＷ  ワイド区間
１７  １群支持環
１７ａ  雄ヘリコイド
１７ｂ  ガイド突起
１７ｃ  直進ガイド突起
１７ｅ  抜け止め突起
１８  第１直進案内環（直進案内環）
１８ａ  ガイド突起
１８ｂ  直進案内溝
１８ｃ  直進案内溝
１８ｄ  受け溝
１８ｆ  フランジ
１８ｆ’  切欠
１９  ４群支持環
１９ａ  光軸平行腕
１９ｂ  係合突起
２０  ２−３群ブロック（２レンズ群ブロック）
２０ａ  直進案内腕
２０ｂ  カムフォロア
２１  ２−３群移動環
２１ａ  ストッパ突起
２２  先端部押え板
２２ａ  直進ガイドピン
２２ｂ  圧縮ばね
２３  ２群枠
２３ａ  ガイドボス
２３ｂ  傾斜カム面
２４  ３群枠（回転レンズ枠）（間隔切替機構）
２４ａ  フォロア突起
２４ｂ  回転伝達突起
２４ｃ  回動範囲規制溝
２５  差動連係環（直進レンズ枠）（間隔切替機構）
２５ａ  回転伝達溝
２５ｂ  強制回転伝達突起
２５ｃ  ばね穴
２６  差動環（間隔切替機構）
２６ａ  強制回転伝達溝
２６ｂ  回転伝達突起
２６ｃ  連動ピン（切替駒移動機構）
２７  差動ばね
２７ｂ  脚部
２８  切替駒
２８ａ  回転伝達溝
２８ｂ  フォロア突起
２９  １群枠
３０  ４群枠
３１  圧縮ばね
３２  シャッタブロック
３３  ＦＰＣ基板
３４  遮光蛇腹
３５  遮光板
【図１】
2004191672.tif 000003
【図２】
2004191672.tif 000004
【図３】
2004191672.tif 000005
【図４】
2004191672.tif 000006
【図５】
2004191672.tif 000007
【図６】
2004191672.tif 000008
【図７】
2004191672.tif 000009
【図８】
2004191672.tif 000010
【図９】
2004191672.tif 000011
【図１０】
2004191672.tif 000012
【図１１】
2004191672.tif 000013
【図１２】
2004191672.tif 000014
【図１３】
2004191672.tif 000015
【図１４】
2004191672.tif 000016
【図１５】
2004191672.tif 000017
【図１６】
2004191672.tif 000018
【図１７】
2004191672.tif 000019
【図１８】
2004191672.tif 000020
【図１９】
2004191672.tif 000021